(57)【特許請求の範囲】
【請求項１】
上部に枕手段（１５）を有し、下部に蝶番手段（６）を有する揺動腕（１１）と；  該蝶番手段（６）を介して該揺動腕（１１）に自己の後部を回転自在に結合させた静止台（１）であって、上方に突出するマッサージ手段（１４）を上部に有する該静止台（１）と；からなる背中マッサージ器であって：
該揺動腕（１１）は、該蝶番手段（６）に隣接する部分に、床面に接する湾曲部（３）を有し；
該湾曲部（３）の末端に、該蝶番手段（６）が隣接し；
該揺動腕（１１）は、該湾曲部（３）の該末端を、該蝶番手段（６）を介して、該静止台（１）の該後部の末端に回転自在に結合させたことを特徴とする背中マッサージ器。
【発明の詳細な説明】
【０００１】
【産業上の利用分野】
本発明はマッサージ器に関し、更に詳しくは、使用者が楽な姿勢で適度な腹筋運動または手足の屈伸運動を行なうことによって、自己の背中を首筋から腰部にサけて自己の体重を利用して所望の強さで所望の時間にわたって自由自在にマッサージすることができる背中マッサージ器に関する。
【０００２】
【従来の技術】
従来の背中マッサージ器の一例は、日本特許出願公告番号：平４−７７５８６号（出願日：１９８６年２月４日）に開示されている。当該装置は、使用に際して使用者の体の動きに枕手段を追従させるために、ばね部材等の比較的に高価な弾性部材や煩雑な４節リンク機構を必要としている。
【０００３】
【発明が解決しようする課題】
上述の通り、従来の背中マッサージ器は比較的に高価な弾性部材や煩雑な４節リンク機構を必要としているため、製造コストが嵩むという問題点があった。
【０００４】
従って、本発明の目的は、究めて簡単な機構で枕手段を使用者の体の動きに追従させることができる安価な背中マッサージ器を提供することである。
【０００５】
【課題を解決するための手段】
上記目的を達成するために、本発明の第一態様に従って下記構成の背中マッサージ器が提供される：
上部に枕手段（１５）を有し、下部に蝶番手段（６）を有する揺動腕（１１）と；
該蝶番手段（６）を介して該揺動腕（１１）に自己の後部を回転自在に結合させた静止台（１）であって、上方に突出するマッサージ手段（１４）を上部に有する該静止台（１）と；からなる背中マッサージ器であって：
該揺動腕（１１）の該下部の一部（３）を直接的に又は間接的に床面で支持させて当該一部（３）を梃の支点として働かせ、それによって該蝶番手段（６）を該床面に対して上下動させる背中マッサージ器。
【０００６】
更に、上記目的を達成するために：  該揺動腕（１１）の該下部の該一部（３）が湾曲して該床面で支持される本発明の上記第一態様に従った背中マッサージ器が提供される。
【０００７】
更に、上記目的を達成するために：  更に、ピン手段（３１）と、該床面で支持される案内手段（３２）とを有し；
該ピン手段（３１）を介して該揺動腕（１１）の該下部の該一部（３）が該案内手段（３２）に回転自在に支持される本発明の上記第一態様に従った背中マッサージ器が提供される。
【０００８】
【作用】
上記構成を有する本発明の背中マッサージ器は：  使用者が静止台（１）の上に座って自己の背中を枕手段（１５）に押し付けると、揺動腕（１１）が蝶番手段（６）の回りに回転する。その結果、揺動腕（１１）の梃の支点部分（３）が床面で直接的に又は間接的に支持されて蝶番手段（６）を床面に対して上昇させる。この時、使用者の体重は静止台（１）に加わって揺動腕（１１）を元の位置に復帰させる弾性力として作用する。
【０００９】
従って、使用に際し、枕手段（１５）は使用者の体の動きに常に弾性的に追従する。更に、当該弾性力の大きさは使用者の体重の大きさに比例するので、誰でもが自分に見合った大きさの弾性力でもって枕手段（１５）を自己の体の動きに追従させることができる。
【００１０】
【実施例】
以下、図面を参照しながら、本発明の実施例を詳細に説明する。図１に示される通り、本発明の背中マッサージ器は、実質的にＵ字形状のパイプからなる静止台１を含む。使用に際し、静止台１は床面に平行に置かれる。静止台１の両端は、床面に対して垂直な方向に平にプレスされて一対の蝶番部を形成する。当該蝶番部の近傍に上方に突出する一対のマッサージ手段支持部９が形成される。当該支持部９の間には、ローラ軸３６を介してローラ等の適当なマッサージ手段１４が回転自在に取り付けられる。上記構成の静止台１は、本発明の背中マッサージ器のその他の部材と共に適当な芯材、クッション材およびカバー材等の二次的部材によって覆われて最終製品にされる。これらの二次的部材は、本発明の構成を明瞭に示す上で邪魔なので図面では省かれている。
【００１１】
本発明の背中マッサージ器は更に、一対の揺動腕１１を含む。揺動腕１１は各々、両端を互いに平行に平にプレスされて、上部には枕手段支持部が、そして下部には蝶番部がそれぞれ形成される。揺動腕１１の蝶番部は、リベットなどの適当な蝶番手段６を介して静止台１の対応する蝶番部にそれぞれ回転自在に結合される。一対の揺動腕１１の枕手段支持部の間にはローラ等の適当な枕手段１５が枕軸５６を介して回転自在に又は回転不能に取り付けられる。各々の揺動腕１１は、蝶番手段６に隣接する部分に湾曲部３を有する。図２乃至図５から明らかな通り、揺動腕１１の湾曲部３は、揺動腕１１が蝶番手段６の回りで時計回り方向に回る時、床面に接して梃の支店として作用し蝶番手段６を床面から上方に持ち上げる働きをする。
【００１２】
図２に示される通り、本発明の背中マッサージ器は、使用に際し床面に静止台１を隣接させて配置される。次いで、図３に示される通り、使用者は静止台１に座って背中を枕手段１５に押し付けながら腰を静止台１の前方にずらしていく。すると、図４に示される通り使用者の首が枕手段１５によって支持される。その際、静止台１に加わる使用者の体重に起因して揺動腕１１が蝶番手段６の回りで反時計回り方向のトルクを受けるので、枕手段１５が使用者の体から離れて単独で後方に移動することはない。図４の状態に至ると、使用者の背中の一部がマッサージ手段１４に接して支持されるので、使用者は自己の腰を浮かせて体重をマッサージ手段１４に加えながら、図５に示される通り更に後方に体を移動させることができる。この時の体の移動によって、使用者は首から腰にかけて自己の背中全域を自己の体重を利用してマッサージすることができる。図３乃至図５から明らかな通り、使用者の体が後方に移動するにつれて、静止台１の後部の蝶番手段６が床面から離れて上方に持ち上げられる。
【００１３】
次に、図５の状態から図４の状態に向かって使用者が体を前方に移動すると、マッサージ手段１４は使用者の腰から首にかけて背中全域をマッサージすることができる。この時も、マッサージ手段１４に加わる使用者の体重に起因して揺動腕１１が蝶番手段６の回りで反時計回り方向のトルクを受けるので、枕手段１５は、使用者の首から外れること無く使用者の首の動きに弾性的に追従して前方に移動することができる。
【００１５】
【発明の効果】
本発明の背中マッサージ器は更に、一対の揺動腕１１を含む。揺動腕１１は各々、両端を互いに平行に平にプレスされて、上部には枕手段支持部が、そして下部には蝶番部がそれぞれ形成される。揺動腕１１の蝶番部は、リベットなどの適当な蝶番手段６を介して静止台１の対応する蝶番部にそれぞれ回転自在に結合される。一対の揺動腕１１の枕手段支持部の間にはローラ等の適当な枕手段１５が枕軸５６を介して回転自在に又は回転不能に取り付けられる。各々の揺動腕１１は、蝶番手段６に隣接する部分に湾曲部３を有する。図２乃至図５から明らかな通り、揺動腕１１の湾曲部３は、揺動腕１１が蝶番手段６の回りで時計回り方向に回る時、床面に接して梃の支店として作用し蝶番手段６を床面から上方に持ち上げる働きをする。
【図面の簡単な説明】
【図１】  背中マッサージ器の実施例の斜視図である。
【図２】  背中マッサージ器の側面図である。
【図３】  使用者が枕手段に背中を押し付けた時の背中マッサージ器の側面図である。
【図４】  使用者が静止台の前方に腰を移動させ枕手段によって首を支持された時の背中マッサージ器の側面図である。
【図５】  使用者が腰をマッサージしている時の背中マッサージ器の側面図である。
【符号の説明】
１    静止台
３    湾曲部
６    蝶番手段
９    マッサージ手段支持部
１１  揺動腕
１４  マッサージ手段
１５  枕手段
３６  ローラ軸
５６  枕軸
【図１】
0003893630.tif 000002
【図２】
0003893630.tif 000003
【図３】
0003893630.tif 000004
【図４】
0003893630.tif 000005
【図５】
0003893630.tif 000006